(57)【要約】【課題】  本発明の課題は、従来の刈取フレームの補強構造の改良に関し、簡単な構成でもって安価に実施することができ、かつ、穀稈の搬送に支障をきたさないシンプルな構成とする。【解決手段】  本発明は、横幅方向に分割可能に構成され刈取装置（１１）への刈取伝動軸（１４）を内装した左右横方向に延びる刈取横フレーム（１５）と、該刈取横フレーム（１５）に対し直交状態に連結され前記刈取伝動軸（１４）への動力伝達軸（１７）を内装した前後方向に延びる刈取縦フレーム（１８）とからなり、前記刈取横フレーム（１５）と刈取縦フレーム（１８）との間には、両者の連結状態を補強する補強部材（３０）を刈取横フレーム（１５）と平行するようにこれに沿わせて設ける。【選択図】        図４
2008054519.tif 000002
【特許請求の範囲】
【請求項１】
左右方向に分割可能に構成され刈取装置（１１）への刈取伝動軸（１４）を内装した刈取横フレーム（１５）と、該刈取横フレーム（１５）に対し直交状態に連結され前記刈取伝動軸（１４）への動力伝達軸（１７）を内装した刈取縦フレーム（１８）とからなり、前記刈取横フレーム（１５）と刈取縦フレーム（１８）との間に、両者の連結状態を補強する補強部材（３０）を刈取横フレーム（１５）と平行姿勢に沿わせて設けてあることを特徴とするコンバインの刈取装置。
【請求項２】
前記補強部材（３０）は、横壁部（３０ａ）と縦壁部（３０ｂ）とからなるように断面Ｌ字型又は断面Ｔ字型に形成してあると共に、この補強部材（３０）の縦壁部（３０ｂ）が刈取横フレーム（１５）から突設するリブ（２６）とオーバーラップするように保持させて設けてあることを特徴とする請求項１記載のコンバインの刈取装置。
【発明の詳細な説明】
【技術分野】
【０００１】
本発明は、コンバインの刈取装置に関するものである。
術分野に属する。
【背景技術】
【０００２】
従来、Ｔ字型に連結保持させた横向きの入力側基部伝動ケースと、前後向きの刈取縦フレームとを補強用の連結杆によって一体的に連結保持させた構成のものがある（例えば、特許文献１において図１の符号１４参照）。
【特許文献１】特開２００３−１８０１２５号公報
【発明の開示】
【発明が解決しようとする課題】
【０００３】
上記従来構成のものでは、補強用連結杆によって、基部伝動ケースと刈取縦フレームとの交叉部位のコーナー（直角）部を橋渡し状（三角形の斜辺に相当）に連結保持するものであるため、かかる技術を刈取装置側の横向きの刈取横フレームと刈取縦フレームとの補強構成に応用すると、その補強用連結杆が穀稈搬送の障害となり、刈取後の穀稈搬送作用に支障をきたす問題が発生し、また、補強用連結杆の連結構成も複雑となり安価に実施し難い問題がある。
【０００４】
本発明の課題は、簡単な構成の補強構造でありながら安価に実施でき、かつ、穀稈の搬送に支障をきたさないシンプルな構成とし、従来の問題点を解消することにある。
【課題を解決するための手段】
【０００５】
本発明は、上述した課題を解決するために、次の如き技術手段を講じた。
すなわち、請求項１記載の本発明は、左右方向に分割可能に構成され刈取装置（１１）への刈取伝動軸（１４）を内装した刈取横フレーム（１５）と、該刈取横フレーム（１５）に対し直交状態に連結され前記刈取伝動軸（１４）への動力伝達軸（１７）を内装した刈取縦フレーム（１８）とからなり、前記刈取横フレーム（１５）と刈取縦フレーム（１８）との間に、両者の連結状態を補強する補強部材（３０）を刈取横フレーム（１５）と平行姿勢に沿わせて設けてあることを特徴とするコンバインの刈取装置とする。
【０００６】
補強部材１５は、刈取横フレーム１５と平行姿勢に沿わせているので、この刈取横フレーム１５上を通過する穀稈の搬送作用に支障をきたしにくい。また、この補強部材３０の刈取横フレーム１５に対する連結手段としては、刈取縦フレーム１８の刈取横フレーム１５に対する取付ボルト及び分割可能な刈取横フレームの分割フランジを締付固定する締付ボルトを共用することができ、安価に実施することができる。
【０００７】
請求項２記載の本発明は、前記補強部材（３０）は、横壁部（３０ａ）と縦壁部（３０ｂ）とからなるように断面Ｌ字型又は断面Ｔ字型に形成してあると共に、この補強部材（３０）の縦壁部（３０ｂ）が刈取横フレーム（１５）から突設するリブ（２６）とオーバーラップするように保持させて設けてあることを特徴とする請求項１記載のコンバインの刈取装置とする。
【０００８】
補強部材３０の縦壁部３０ｂが刈取横フレーム１５から突設したリブ２６とオーバーラップしているので、刈取横フレーム１５と補強部材３０との隙間が埋められ、泥土やワラ屑の溜まりが少なくなる。
【発明の効果】
【０００９】
請求項１の本発明によれば、刈取横フレーム１５と刈取縦フレーム１８との間に設ける補強部材３０は、刈取横フレーム１５と平行姿勢に沿わせているので、この刈取横フレーム１５上を通過する穀稈の搬送作用に支障をきたしにくく、刈取後の穀稈搬送作用が円滑に行なえ、刈取作業の能率を向上させることができる。また、補強部材３０の取付手段として別個に取付部品を設ける必要がなく、刈取縦フレーム１８の刈取横フレーム１５に対する取付ボルトや、分割可能な刈取横フレーム１５の取付用締付ボルトを共用することができて部品点数が少なくて済、安価に実施することができる。
【００１０】
また、請求項２の本発明によれば、請求項１の発明効果を奏するものでありながら、補強部材３０の縦壁部３０ｂが刈取横フレーム１５から突設したリブ２６とオーバーラップするように保持されているので、刈取横フレーム１５と補強部材３０との隙間を少なくすることができ、泥土やワラ屑などの溜まりを未然に防止することができて、刈取作業を円滑に行なうことができる。
【発明を実施するための最良の形態】
【００１１】
以下、本発明の実施例を図面に基づいて具体的に説明する。
まず、図１〜図３に示すコンバインの構成について述べる。
走行クロ−ラ１を具備する車体２上には、前部に昇降可能な刈取部３を、後部に脱穀装置（脱穀部）４を搭載している。刈取部３の横側部には前側に操作ボックス５、その後側に運転席６が設置され、その後方には収穫された穀粒を一時的に貯溜するグレンタンクＧが装備されている
刈取部３は、穀稈を左右に分草する分草体９と、分草後の４条の穀稈を引き起す引起し装置１０と、引起し後の穀稈を刈り取るバリカン式の刈取装置１１と、刈取後の穀稈を揚上搬送し穂先側を脱穀装置４の扱室内に供給し株元側をフィードチエン１３に受け渡す揚上搬送装置１２とからなる。
【００１２】
次に刈取部を支持するフレーム構造について説明すると、横幅方向に分割可能に構成され刈取装置１１及び引起し装置１０への刈取伝動軸１４を内装した左右横方向に延びる刈取横フレーム（刈取横伝動ケース）１５と、該刈取横フレームに対し直交状態に連結され前記刈取伝動軸１４へベベルギヤ１６を介して動力伝達する動力伝達軸１７を内装した前後方向に延びる刈取縦フレーム１８、該刈取縦フレーム１８の基部（後端）側に装着され前記動力伝達軸１７への刈取入力軸１９を内装した左右横方向に延びる刈取入力伝動ケース２０とからなる構成になっている。刈取入力軸１９の外端には刈取入力プーリ１９ａが固着されている。刈取入力伝動ケース２０は、車体２側から立設された刈取懸架台２９に架設してあり、刈取入力軸１９を支点として刈取部３が上下回動する構成としている。刈取入力軸１９から分岐して別の伝動機構２１を設けて前記揚上搬送装置１２を駆動する構成としている。刈取入力伝動ケース１９と刈取縦フレーム１８とは補強フレーム２２によって両者の連結状態を補強する構成としている。
【００１３】
刈取横フレーム１５は、横幅方向に分割可能に構成されてあり、実施例では１５ａ，１５ｂ，１５ｃの三体に分割され、互いに対向する分割フランジ部２３，２３を接合させて締付ボルト２４により締付固定する構成としている。また、前記刈取縦フレーム１８と刈取横フレーム１５との連結構成は、取付ボルト２５によって一体的に締付固定する構成としている。
【００１４】
なお、前記刈取伝動軸１４からは、刈刃駆動軸２７を介して刈取装置１１を駆動し、引起し駆動軸２８を介して引起し装置１０を駆動するように連動構成している。
そして、前記刈取横フレーム１５と刈取縦フレーム１８との間には、両者の連結状態を補強する補強部材３０を刈取横フレーム１５と平行するようにこれに沿わせて設けるが、刈取横フレーム１５の背部に沿わせることで、該フレーム１５の上面を通過する穀稈の搬送に支障なきよう配置構成し、刈取縦フレーム１８の刈取横フレーム１５に対する取付ボルト２５及び刈取横フレーム１５の分割可能な分割体１５ａ，１５ｂ，１５ｃに対する接合固定用締付ボルト２４を介して強固に締付固定する構成としている。
【００１５】
また、かかる補強部材３０は、横壁部３０ａと縦壁部３０ｂとからなるように断面（若しくは側面視）Ｌ字型又はＴ字型に構成してあり、しかも、この左右両端部には刈取横フレーム１５の左右側における分割フランジ部２３，２３を越えた位置で取り付けるための取付片３１を突設した構成としている。そして、この補強部材３０は、縦壁部３０ｂが刈取横フレーム１５から突設するリブ２６とオーバーラップするように接合保持させた構成とし、泥土やワラ屑の溜まりを防ぐようにしている。
【００１６】
更に、補強部材３０は、図４、図５に示すように、左右二つに分割してあり、上方を通過する穀稈搬送に邪魔にならないように、左側を右側よりも短くした構成としている。
図９に示すように、引起し装置１０の左右側引起しケース１０Ｌ，１０Ｒに対する中央側引起しケース１０Ｃ，１０Ｃの背部には、引起し後の穀稈を凭しかけた状態で後側方に向けて案内する案内カバー体３５が設けられている。この案内カバー体３５は、従来は一体構成であったものを、上部カバー体３５ｕと下部カバー体３５ｄとに分割可能に構成し、図１０、図１１に示す如く、上下カバー体にラップ代を設けて隙間をなくし、しかも、両者間には段差を設けると共にこの段差が左側ほど大きくなるように構成することで、穂先やワラ屑のひっかかり防止及び穀稈流れの円滑性向上を図るようにしている。
【００１７】
図１３に示すように、揚上搬送装置１２の終端部位から穀稈の穂先側部を脱穀部４の入口受板３７上に案内落下させる引継ゴム板３８が設けられている。従来は、引継ゴム板３８の垂れ下がりを防止するため、これを下から支持する支持プレートを揚上搬送装置側から突設していたが、本例では、この支持プレート３９を入口受板３７側から突設することで、引継ゴム板の揚上搬送装置の動き（扱ぎ深さ調節）に伴う大きな変化をなくして、穀稈の引継搬送がスムースに行えるようにしている。
【００１８】
図１５に示すように、最も左側に位置する分草体９Ｌを横軸芯４０回りに前後方向に回動固定可能に構成し、中割り作業時には分草体９Ｌを通常位置（仮想線の状態位置）より前方位置（実線位置）に起立させ係止杆４１により固定して使用する構成としている。立毛穀稈の中割り作業時は左側（未刈り地側）分草体の先端がどの位置を分草しているのか確認し難く作業者は不安であった。分草体を起立させることで、分草体上部にて立毛穀稈を分けることになり、分草体による中割分草作用状態を容易に確認することができる。
【００１９】
図１６及び図１７に示す実施例は、刈取装置１１と揚上搬送装置１２との間に設けられる２条の刈取穀稈を揚上搬送装置の始端部に送り込む掻込装置４２の構成例を示す。掻込装置４２は、主として左右一対の掻込スターホイル４３，４３と、該掻込スターホイル４３，４３の上側から前方に向けて平面視ハの字状に配置された掻込ベルト４４，４４とからなり、２条の刈取穀稈を掻込ベルト４４，４４により後方に掻き寄せ、掻込スターホイル４３，４３で後方に掻き込んで揚上搬送装置１２の始端部に引き継がせるように構成している。そして、掻込スターホイル４３，４３の上側近接位置には左側掻込ガイド板４５Ｌと右側掻込ガイド板４５Ｒが配設されている。従来は、図１９に示すように、短稈を刈る時、揚上搬送装置始端の穂先側搬送部が穂先に作用せず、根元側搬送部のみでのキャッチングとなり、穀稈が垂直姿勢で引継搬送されないと取りこぼしが発生し、右側方向へ倒れてしまう問題があった。本例では、図１６及び図１７に示すように、左側掻込ガイド板４５Ｌの途中部位から右側掻込ガイド板４５Ｒの終端部に沿うようにピアノ線状のガイド杆４６を設ける。しかも、このガイド杆４６は左右掻込ガイド板４５Ｌ，４５Ｒよりも上方に高い位置で、且つ、掻込ベルト４４よりも下側位置に設けることで、短稈の右方向への倒れを防止することができ、ほぼ垂直姿勢を保って揚上搬送装置の始端へ良好に引き継がせることができるようになった。
【００２０】
また、刈取部は左右横方向に移動自在に構成しているが、この刈取部の左右移動により揚上搬送装置（扱ぎ深さ調整用搬送装置に相当し、これは始端側を上下に移動調節する）もそれに追従して左右移動する構成としている。これにより、図１７、図１８に示すように、先端に長穴状のガイド溝４７ａを設けたガイドステー４７が揚上搬送装置１２の始端部から突設されてあり、そして、このガイドステー４７を挿通支架するスライドガイド杆４８は、これと一体的に固着支持した支持パイプ４９を介して引起し駆動軸２８内装の引起し駆動用パイプ５０に溶接手段等によって一体化した構成としている。これによれば、支持構成が安定し、強度も確保でき、刈取部の左右移動に伴う揚上搬送装置の追従移動がスムースに行える。
【００２１】
図２０〜図２２は、刈取前処理部（分草体、引起し装置、刈取装置、掻込装置等）３Ｆを左右横方向にスライド移動させる左右スライド機構の構成例を示すもので、刈取縦フレーム１８の前端部に設けた電磁石５１を備えたガイドレール５２に対し、刈取前処理部側に設けたガイドフレーム５３を横方向スライド自在に装架し、ガイドレール５２に備えた電磁石５１の電磁力（吸引力又は反発力）を利用して刈取前処理部を浮上させ（即ち、ガイドフレーム５３が図２２（イ）の状態から（ロ）の状態に浮上する。）、左右方向のスライド抵抗を低減させてスライド移動がスムースに行えるようにしている。なお、ガイドレール５２の前後の端部にはスライド抵抗の少ない樹脂材５４又はローラ等を設けておくとより良い効果を発揮することができる。
【図面の簡単な説明】
【００２２】
【図１】コンバインの側面図
【図２】コンバインの平面図
【図３】コンバインの正面図
【図４】刈取部の要部の一部破断せる平面図
【図５】同上要部の背面図
【図６】同上要部の左側断面図
【図７】刈取横フレームの左側断面図
【図８】同上右側断面図
【図９】コンバイン要部の正面図
【図１０】引起し装置の要部の背面図
【図１１】図１０のＳ−Ｓ線断面図
【図１２】案内カバー体の分解背面図
【図１３】コンバイン要部の平面図
【図１４】入口受板及び引継ゴム板の斜視図
【図１５】刈取部の要部の側面図
【図１６】刈取部要部の左側面図
【図１７】刈取部要部の平面図
【図１８】刈取部要部の右側面図
【図１９】刈取部要部の従来例を示す一部の平面図
【図２０】刈取前処理部の要部の斜視図
【図２１】同上要部の（イ）側面図及び（ロ）側面図
【図２２】同上要部の側面図
【符号の説明】
【００２３】
３    刈取部                    １１    刈取装置
１４    刈取伝動軸                １５    刈取横フレーム
１７    動力伝達軸                １８    刈取縦フレーム
２３    分割フランジ部            ２４    締付ボルト
２５    取付ボルト                ２６    リブ
３０    補強部材
【図１】
2008054519.tif 000003
【図２】
2008054519.tif 000004
【図３】
2008054519.tif 000005
【図４】
2008054519.tif 000006
【図５】
2008054519.tif 000007
【図６】
2008054519.tif 000008
【図７】
2008054519.tif 000009
【図８】
2008054519.tif 000010
【図９】
2008054519.tif 000011
【図１０】
2008054519.tif 000012
【図１１】
2008054519.tif 000013
【図１２】
2008054519.tif 000014
【図１３】
2008054519.tif 000015
【図１４】
2008054519.tif 000016
【図１５】
2008054519.tif 000017
【図１６】
2008054519.tif 000018
【図１７】
2008054519.tif 000019
【図１８】
2008054519.tif 000020
【図１９】
2008054519.tif 000021
【図２０】
2008054519.tif 000022
【図２１】
2008054519.tif 000023
【図２２】
2008054519.tif 000024